(57)【特許請求の範囲】
【請求項１】
表示器と、監視対象の複数種の情報から構成される複数の表示画面を前記表示器に選択的に切り換えて表示する表示画面切換手段を備えた調節計であって、
外部及び／又は内部からの指示を受けて前記表示画面の複数の表示項目を設定登録する表示設定手段と、
を具備し、
前記表示設定手段は、前記表示画面のうちの前記表示器に、前記監視対象の運転情報を表示する為の複数の運転表示画面の複数の表示項目と、前記監視対象の異常情報を表示する為の複数の特殊表示画面の複数の表示項目と、前記運転表示画面から前記特殊表示画面への複数の遷移要因の項目と、前記遷移要因の項目に関連づけられた前記運転表示画面及び前記特殊表示画面とを設定し、
前記表示画面切換手段は、外部及び／又は内部からの指示を受けて、複数の前記運転表示画面の中から前記表示器に表示する前記運転表示画面を予め定められた順序で巡回的に切り換え、前記遷移要因を受けて、前記運転表示画面を前記遷移要因の項目に関連づけられた前記特殊表示画面に切り換えることを特徴とする調節計。
【請求項２】
前記表示設定手段は、前記特殊表示画面から前記運転表示画面への複数の復帰要因の項目と、前記復帰要因の項目に関連づけられた前記運転表示画面及び前記特殊表示画面とを設定し、
前記表示画面切換手段は、前記復帰要因を受けて、前記特殊表示画面を前記復帰要因の項目に関連づけられた前記運転表示画面に切り換えることを特徴とする請求項１に記載の調節計。
【請求項３】
前記表示設定手段は、前記復帰要因の種別に応じた時間経過後に前記特殊表示画面から前記運転表示画面への復帰を可能とする復帰指定時間の項目を設定し、
前記表示画面切換手段は、前記復帰指定時間の経過を受けて、前記特殊表示画面を前記復帰要因の項目に関連づけられた前記運転表示画面に切り換えることを特徴とする請求項２に記載の調節計。
【請求項４】
前記表示設定手段は、一旦発生した前記遷移要因を保持し、保持された前記遷移要因の保持状態を解除することで前記特殊表示画面から前記運転表示画面への復帰を可能とするラッチ解除要因の項目を設定し、
前記表示画面切換手段は、ラッチ解除要因を受けて、前記特殊表示画面を前記復帰要因の項目に関連づけられた前記運転表示画面に切り換える
ことを特徴とする請求項２または３に記載の調節計。
【請求項５】
前記表示画面切換手段は、前記遷移要因及び／又は前記復帰要因を受けて、複数の前記特殊表示画面の中から前記表示器に表示する前記特殊表示画面を前記遷移要因及び／又は前記復帰要因の種別に応じて予め定められた優先順序で巡回的に切り換えることを特徴とする請求項２乃至４の何れかに記載の調節計。
【発明の詳細な説明】
【技術分野】
【０００１】
本発明は、監視対象の複数種の情報を選択的に表示する表示器を備えた調節計に関する。
【背景技術】
【０００２】
この種の調節計としては、例えば温度センサにて測定された温度の測定値（ＰＶ値）に基づいて加熱・冷却装置等の制御対象の作動を制御する温度調節計がある。この温度調節計にはＰＶ値の他、予め設定された制御目標としての設定値（ＳＰ値）や、ＳＰ値に対するＰＶ値の偏差に応じ、例えばＰＩＤ制御の下で求められた制御対象に対する制御出力値（ＭＶ値）等の監視対象の複数種の運転情報を選択的に表示する為の表示器が設けられ、表示器にはこれら複数種の運転情報から構成される複数の運転表示画面を選択的に切り換えて表示し得るように構成されている。
【０００３】
そして、表示器に予め登録された複数のＳＰ値を切り換えて表示させる切換スイッチを備えたものが知られている（例えば特許文献１参照）。
【特許文献１】特開平１１−１７５１０１号公報
【発明の開示】
【発明が解決しようとする課題】
【０００４】
しかしながら、上記従来技術は、ＳＰ値の切り換えは可能であるものの、各運転表示画面の表示項目は予め規定されている為、調節計のユーザは監視対象の種別に合わせて表示器の画面構成を自由にカスタマイズすることができない。
また、上記従来技術は、監視対象が異常状態になったときの表示器における画面の画面構成、及び画面遷移については格別な配慮がなされておらず、これらにより、ユーザの利便性向上には依然として課題が残されている。
【０００５】
本発明は、このような課題に鑑みてなされたもので、ユーザの利便性を大幅に向上することができる調節計を提供することを目的とする。
【課題を解決するための手段】
【０００６】
上記の目的を達成するべく、請求項１記載の調節計は、表示器と、監視対象の複数種の情報から構成される表示画面を表示器に選択的に切り換えて表示する表示画面切換手段を備えた調節計であって、外部及び／又は内部からの指示を受けて表示画面の複数の表示項目を設定登録する表示設定手段を具備し、表示設定手段は、表示画面のうちの表示器に、監視対象の運転情報を表示する為の複数の運転表示画面の複数の表示項目と、監視対象の異常情報を表示する為の複数の特殊表示画面の複数の表示項目と、運転表示画面から特殊表示画面への複数の遷移要因の項目と、遷移要因の項目に関連づけられた運転表示画面及び特殊表示画面とを設定し、表示画面切換手段は、外部及び／又は内部からの指示を受けて、複数の運転表示画面の中から表示器に表示する運転表示画面を予め定められた順序で巡回的に切り換え、遷移要因を受けて、運転表示画面を遷移要因の項目に関連づけられた特殊表示画面に切り換えることを特徴としている。
【０００８】
更にまた、請求項２記載の発明では、請求項１において、表示設定手段は、特殊表示画面から運転表示画面への複数の復帰要因の項目と、復帰要因項目に関連づけられた運転表示画面及び特殊表示画面とを設定し、表示画面切換手段は、復帰要因を受けて、特殊表示画面を復帰要因の項目に関連づけられた運転表示画面に切り換えることを特徴としている。
また、請求項３記載の発明では、請求項２において、表示設定手段は、前記復帰要因の種別に応じた時間経過後に前記特殊表示画面から前記運転表示画面への復帰を可能とする復帰指定時間の項目を設定し、表示画面切換手段は、復帰指定時間の経過を受けて、特殊表示画面を復帰要因の項目に関連づけられた運転表示画面に切り換えることを特徴としている。
【０００９】
更に、請求項４記載の発明では、請求項２または３において、表示設定手段は、一旦発生した遷移要因を保持し、保持された遷移要因の保持状態を解除することで特殊表示画面から運転表示画面への復帰を可能とするラッチ解除要因の項目を設定し、表示画面切換手段は、ラッチ解除要因を受けて、特殊表示画面を復帰要因の項目に関連づけられた運転表示画面に切り換えることを特徴としている。
更にまた、請求項５記載の発明では、請求項２乃至４の何れかにおいて、表示画面切換手段は、遷移要因及び／又は復帰要因を受けて、複数の特殊表示画面の中から表示器に表示する特殊表示画面を遷移要因及び／又は復帰要因の種別に応じて予め定められた優先順序で巡回的に切り換えることを特徴としている。
【発明の効果】
【００１０】
従って、本発明の調節計によれば、調節計が外部及び／又は内部からの指示を受けて表示画面の表示項目を設定する表示設定手段を具備することにより、調節計を使用するユーザは、監視対象の種別に合わせて表示器の画面構成を自由にカスタマイズすることができる為、ユーザの利便性を大幅に向上することができる。
【発明を実施するための最良の形態】
【００１１】
以下、図面を参照して本発明の一実施形態に係る調節計について説明する。
図１は本実施形態に係る調節計の概略構成を示しており、この種の調節計としては、例えば温度センサにて測定された温度の測定値（ＰＶ値）に基づいて加熱・冷却装置等の制御対象の作動を制御する温度調節計がある。この温度調節計にはＰＶ値の他、予め設定された制御目標としての設定値（ＳＰ値）や、ＳＰ値に対するＰＶ値の偏差に応じ、例えばＰＩＤ制御の下で求められた制御対象に対する制御出力値（ＭＶ値）等の監視対象の複数種の情報に基づいて所定の処理を実行する温度調節計本体１０と、温度調節計本体１０にて取り扱われる監視対象の複数種の情報を選択的に表示する表示器２０とを備えている。
【００１２】
温度調節計本体１０にはマイクロプロセッサ等を主体として構成された制御演算部１が設けられ、制御演算部１はデータ入力部２を介して監視対象の情報を受け、制御対象の動作を制御する為の情報をデータ出力部３を介して出力する。また、制御演算部１には温度センサを介して監視対象の異常を検出して異常情報を出力する異常検出手段４と、一旦発生した異常情報を保持して出力するラッチ手段５と、このラッチ手段５による保持状態を解除するラッチ解除手段６とを備えている。
【００１３】
また、温度調節計本体１０には温度調節計本体１０にて取り扱われる複数種の情報を表示器２０を用いて選択的に表示する表示制御部７が設けられている。更に、温度調節計本体１０には外部からの指示を受けて複数種の情報から構成される表示画面の表示項目を設定登録する表示設定部（表示設定手段）８と、表示器２０にて表示する表示画面を選択的に切り換えて表示する表示画面切換部（表示画面切換手段）９とが設けられ、これら表示設定部８及び表示画面切換部９が表示制御部７の動作を制御している。
【００１４】
また、表示制御部７には、表示画面切換部９により表示器２０に表示する表示画面を変更設定した後、予め設定された所定の復帰指定時間の経過後に他の表示画面への復帰を指示する復帰指示手段としてのタイマ管理部１１が設けられている。また、他の復帰指示手段としては、上述したラッチ手段５による保持状態がラッチ解除手段６により解除された後に表示画面の復帰を指示するものがある。
【００１５】
一方、表示器２０は、温度調節計本体１０を内蔵したケース（図示せず）の前面パネルに組み込まれた複数桁の数字・文字表示部や、状態表示用の発光器等からなる。
具体的には、図２の表示器２０の前面パネルの構成例に示されるように、前面パネルの上段部には複数桁（例えば５桁）の数字・文字を表示する為の第１表示部２１が設けられ、中段部には上記第１の表示部２１より若干小型の５桁の数字・文字を表示する為の第２表示部２２、及び３桁の文字・数字を表示する為の補助表示部２３が設けられている。
【００１６】
また、前面パネルにおける第１表示部２１の両側部には、予め定められた情報を略語（略記）表示する複数個のモード表示灯２４及びループ番号表示灯２５が設けられており、第２表示部２２の側部には、予め定められた情報を略語（略記）表示するユーザファンクション表示灯２６が設けられている。更に、前面パネルにおける第２表示部２２の下側には、データ出力に関する複数種のモード表示灯２７が設けられると共に、各種の状態情報を棒状にグラフィック表示する為のマルチステータス表示灯２８が設けられている。なお、前面パネルの下段部にはカーソルキーや、各種の動作モードを設定する為の動作設定キーを含む複数の操作キーと、温度調節計をパーソナルコンピュータ等の外部機器に接続する為のローダジャックが設けられている。
【００１７】
このように構成された温度調節計は、表示画面切換部９を介して表示器２０の各表示部２１，２２，２３たる表示枠に、監視対象の複数種の情報としての上述したＰＶ値、ＳＰ値、ＭＶ値等の監視対象の運転情報を表示する為の運転表示画面や、異常検出手段４により検出された異常情報を表示する為の特殊表示画面といった複数の表示画面を選択的に表示する。
【００１８】
具体的には、図３の表示画面の変更形態の例に示されるように、複数の運転表示画面１〜Ｎは、それぞれ運転情報を識別する為の運転表示識別枠１〜ｎと、それに対応する表示値を表示する為の運転表示値枠１’〜ｎ’とから構成され、前面パネルに設けられた操作キーの１つであるディスプレイキーが操作される都度、或いは、デジタル入力（ＤＩ信号）の通信等の外部指示により表示画面切換部９の制御の下で表示器２０に予め定められた順序で巡回的に切り換えて表示される。
【００１９】
一方、複数の特殊表示画面１〜Ｍは、それぞれ異常情報を識別する為の特殊表示識別枠１〜ｍと、それに対応する表示値を表示する為の特殊表示値枠１’〜ｍ’とから構成され、運転表示画面１〜Ｎと特殊表示画面１〜Ｍとの間の画面遷移は、異常情報を受けての遷移要因や、異常情報の消滅などを受けての復帰要因を含む外部指示によって、表示画面切換部９の制御の下で予め定められた運転表示画面とこれに対応する特殊表示画面との間で一義的に切り換えることにより行われる。
【００２０】
こうして構成される運転表示画面及び特殊表示画面の表示パターンのデータテーブルは、表示登録バンクたるメモリバンクに一括して登録され、この表示登録バンクは表示設定部８に格納されている。
以下の表１の表示登録バンクの概略構成に示されるように、表示登録バンクは、表示画面の表示パターンを表示パターンごとに表示登録番号１〜Ｌ（Ｎ、Ｍ≦Ｌ）を付して管理しており、各表示部２１，２２，２３たる表示識別枠や表示値枠といった表示枠ごとに主設定、副設定、点灯状態の項目を設定することができる。
【００２１】
【表１】
0005042898.tif 000002
【００２２】
主設定の項目は、置数により例えば０〜３の番号を選択することにより設定され、０：ＰＶ値、１：ＳＰ値、２：ＭＶ値、３：第１表示部の副設定項目にて指定された文字列、から選択可能である。
また、副設定の項目にて指定される文字列は、例えばカーソルキーのうちのアップ（∧）キーやダウン（∨）キーを押すことにより文字を変え、順送り（＞）キーや逆送り（＜）キーを押すことにより変更する表示位置が左右にスライドするように構成され、更に、点灯状態の項目は、置数により例えば０：点灯、１：点滅から選択可能である。
【００２３】
以下、図４に示されるフローチャートを参照して、表示設定部８の制御の下で表示登録バンクにおいて表示画面の表示パターンを設定登録するための表示登録手順について説明する。
先ず、表示登録を開始するために、温度調節計の電源を投入し、ディスプレイキーを押すことにより運転表示画面に遷移してＳ１に移行する（以下、Ｓはステップを表す）。
【００２４】
Ｓ１では、運転表示画面において前面パネルに設けられた操作キーの１つであるparaキーを長押しすることによりバンク切替画面に遷移してＳ２に移行する。
Ｓ２では、バンク切替画面においてカーソルキーのうちのアップ（∧）キーやダウン（∨）キーを押すことにより表示登録バンク画面を選択してＳ３に移行する。
Ｓ３では、表示登録バンク画面において前面パネルに設けられた操作キーの１つであるエンターキーを押すことにより表示登録バンク内に入ってＳ４に移行する。
【００２５】
Ｓ４では、表示登録バンク内においてカーソルキーのうちのアップ（∧）キーやダウン（∨）キーの他、順送り（＞）キーや逆送り（＜）キーを押すことにより表示パターンを遷移し、エンターキーを押すことにより表示枠に対する置数を開始してＳ５に移行する。
Ｓ５では、表示登録バンク内において特定の表示パターンの詳細項目を設定した後、エンターキーを押してＳ６に移行する。
【００２６】
Ｓ６では、表示登録が完了したか否かを判定し、判定結果が真（Ｙｅｓ）で表示登録が完了したと判定された場合には本手順を終了し、判定結果が偽（Ｎｏ）で表示登録が完了していないと判定された場合には再びＳ４に戻って表示登録を継続する。
次に、以下の表２は各運転表示画面１〜Ｎがこれに対応する運転表示番号１〜Ｎを付して管理された運転表示設定バンクの概略構成を示しており、この運転表示設定バンクは表示設定部８に格納されている。
【００２７】
【表２】
0005042898.tif 000003
【００２８】
運転表示設定バンクでは、運転表示番号１〜Ｎごとに、運転表示画面の表示パターンを決定するための表示画面番号の項目を設定することができ、この項目は置数により例えば０〜Ｌの番号を選択することにより設定され、０：表示無し（当この運転表示画面はジャンプする、つまり使用しない）、１〜Ｌ：表示登録バンクに予め設定された表示パターンの表示登録番号の何れかを指定することにより、巡回的に切り換えられる運転表示画面の画面数や画面の順序等を温度調節計のユーザが自由に設定することができる。
【００２９】
また、運転表示設定バンクでは、運転表示番号１〜Ｎごとに、運転表示画面から特殊表示画面への画面遷移の遷移要因の項目や、その画面遷移先である異常時特殊表示番号を設定することができる。
遷移要因（すなわち、外部及び／又は内部からの指示）の項目は、置数により例えば０〜１０の番号を選択することにより設定され、０：無し（つまり遷移させない）、計器内部による遷移要因として、１：ＰＶ上限アラーム、２：ＰＶ下限アラーム、３：ＰＶ変化アラーム、４：イベントＯＮ、５：イベントＯＦＦ、計器外部からの遷移要因として、６：ＤＩ信号のアップエッジ、ＤＩ信号のダウンエッジ、８：ＲＳ４８５通信中、キー操作要因として、９：ディスプレイキー押下、１０：エンターキー押下から選択可能である。
【００３０】
また、異常時特殊表示番号は、置数により例えば０〜Ｍの番号を選択することにより設定され、０：無し（つまり遷移させない）、１〜Ｍ：特殊表示番号の何れかを指定することにより、異常時に運転表示画面から特殊表示画面へ遷移させるか否か、遷移させる場合はその遷移要因や遷移先をユーザが自由に設定可能である。
以下、図５に示されるフローチャートを参照して、表示設定部８の制御の下で運転表示画面の表示項目を設定するための運転表示設定手順について詳しく説明する。なお、図４の表示登録手順と重複する手順は表示登録手順のフローチャートのステップ番号を示して説明を省略する。
【００３１】
先ず、運転表示設定を開始するために、温度調節計の電源を投入し、ディスプレイキーを押すことにより運転表示画面に遷移してＳ１１に移行する。
Ｓ１１では、Ｓ１と同様の操作によりＳ１２に移行する。
Ｓ１２では、Ｓ２と同様の操作によりＳ１３に移行する。
Ｓ１３では、運転表示設定バンク画面においてエンターキーを押すことにより運転表示設定バンク内に入ってＳ１４に移行する。
【００３２】
Ｓ１４では、運転表示設定バンク内においてカーソルキーのうちのアップ（∧）キーやダウン（∨）キーの他、順送り（＞）キーや逆送り（＜）キーを押すことにより運転表示画面を遷移し、エンターキーを押すことにより表示枠に対する置数を開始してＳ１５に移行する。
Ｓ１５では、運転表示設定バンク内において特定の運転表示画面の詳細項目を設定した後、エンターキーを押してＳ１６に移行する。
【００３３】
Ｓ１６では、表示設定が完了したか否かを判定し、判定結果が真（Ｙｅｓ）で表示設定が完了したと判定された場合には本手順を終了し、判定結果が偽（Ｎｏ）で表示設定が完了していないと判定された場合には再びＳ１４に戻って表示設定を継続する。
次に、以下の表３は各特殊表示画面１〜Ｍがこれに対応する特殊表示番号１〜Ｍを付して管理された特殊表示設定バンクの概略構成を示しており、この特殊表示設定バンクは表示設定部８に格納されている。
【００３４】
【表３】
0005042898.tif 000004
【００３５】
特殊表示設定バンクでは、特殊表示番号１〜Ｍごとに、特殊表示画面の表示パターンを決定するための表示画面番号の項目を設定することができ、この項目は置数により例えば０〜Ｌの番号を選択することにより設定され、０：表示無し（当この特殊表示画面は無視する、つまり使用しない）、１〜Ｌ：表示登録バンクに予め設定された表示パターンの表示登録番号の何れかを指定することにより、異常時の遷移先である特殊表示画面の表示パターンをユーザが自由に設定することができる。
【００３６】
また、特殊表示設定バンクでは、特殊表示番号１〜Ｍごとに、特殊表示画面から運転表示画面への画面復帰の復帰要因の項目や、復帰要因がタイマ管理部１１を利用した復帰指定時間を条件とする場合の復帰指定時間、復帰要因にラッチ手段５を利用する場合のラッチ解除手段６によるラッチ解除要因の項目、復帰要因が成立した場合の運転表示画面の復帰先である復帰時運転表示番号を設定することができる。
【００３７】
復帰要因の項目は、置数により例えば０〜１２の番号を選択することにより設定され、０〜１０：運転表示設定バンクの遷移要因の項目と同じ、１１：復帰要因に復帰指定時間をカウントするタイマ管理部１１を利用、１２：復帰要因にラッチ手段５を利用、から選択可能である。
また、ラッチ解除要因の項目は、置数により例えば０〜１０の番号を選択することにより設定され、０：無し（つまりラッチ解除しない）、１〜１０：運転表示設定バンクの遷移要因の項目と同じ、から選択可能である。更に、復帰時運転表示番号は、置数により例えば０〜Ｎの番号を選択することにより設定され、０：無し（つまり遷移させない）、１〜Ｎ：運転表示番号の何れかを指定することにより、復帰時に特殊表示画面から運転表示画面へ遷移させるか否か、遷移させる場合はその遷移要因や遷移先をユーザが自由に設定可能である。
【００３８】
以下、図６に示されるフローチャートを参照して、表示設定部８の制御の下で特殊表示画面の表示項目を設定するための特殊表示設定の手順について説明する。なお、図４の表示登録手順と重複する手順は表示登録手順のフローチャートのステップ番号を示して説明を省略する。
先ず、特殊表示設定を開始するために、温度調節計の電源を投入し、ディスプレイキーを押すことにより運転表示画面に遷移してＳ２１に移行する。
【００３９】
Ｓ２１では、Ｓ１と同様の操作によりＳ２２に移行する。
Ｓ２２では、Ｓ２と同様の操作によりＳ２３に移行する。
Ｓ２３では、特殊表示設定バンク画面においてエンターキーを押すことにより特殊表示設定バンク内に入ってＳ２４に移行する。
Ｓ２４では、特殊表示設定バンク内においてカーソルキーのうちのアップ（∧）キーやダウン（∨）キーの他、順送り（＞）キーや逆送り（＜）キーを押すことにより特殊表示画面を遷移し、エンターキーを押すことにより表示枠に対する置数を開始してＳ２５に移行する。
【００４０】
Ｓ２５では、特殊表示バンク内において特定の特殊表示画面の詳細項目を設定した後、エンターキーを押してＳ２６に移行する。
Ｓ２６では、表示設定が完了したか否かを判定し、判定結果が真（Ｙｅｓ）で表示設定が完了したと判定された場合には本手順を終了し、判定結果が偽（Ｎｏ）で表示設定が完了していないと判定された場合には再びＳ２４に戻って表示設定を継続する。
【００４１】
以上のように、本実施形態では、温度調節計が外部及び／又は内部指示を受けて運転表示画面及び特殊表示画面の表示項目を設定登録する為の表示設定部８を具備することにより、ユーザは監視対象の種別に合わせて表示器２０の画面構成を自由にカスタマイズすることができ、ユーザの利便性を大幅に向上することができる。
具体的には、ディスプレイキーによる操作を受けて、監視対象の運転情報の種別に合わせて表示器２０の運転表示画面を自由に切り換え可能である。
【００４２】
また、所定の遷移要因による指示を受けて、異常検出手段４にて検出された監視対象の異常情報の種別に合わせて表示器２０の所定の運転表示画面を所定の特殊表示画面に自動で切り換え可能である。
更に、所定の復帰要因による指示を受けて、監視対象の異常情報の解消に合わせて表示器２０の所定の特殊表示画面を所定の運転表示画面に自動で切り換え可能である。
【００４３】
しかも、復帰要因となる復帰指示手段は、タイマ管理部１１にて管理される所定の復帰指定時間の経過後や、または、ラッチ手段５による保持状態がラッチ解除手段６により解除された後に所定の特殊表示画面から所定の運転表示画面への復帰を指示するものであり、これにより、監視対象や異常情報の種別に合わせて表示器２０の画面構成のみならず、その画面遷移をも自由にカスタマイズすることができる為、ユーザの利便性をより一層向上することができる。
【００４４】
以上で本発明の一実施形態についての説明を終えるが、本発明は上記実施形態に限定されるものではなく、本発明の趣旨を逸脱しない範囲で種々の変更ができるものである。
例えば、上記実施形態では、復帰指示手段からの指示を受けて、表示器２０に表示された特殊表示画面をこの特殊表示画面に対応する予め定められた運転表示画面に一義的に切り換えることとしているが、例えば異常情報の変化等に応じて、複数の特殊表示画面を予め定められた順序で巡回的に切り換えた後に運転表示画面に復帰させるようにしても良く、この場合にはユーザに対して複数の注意喚起をした後に運転表示画面に復帰させることも可能となるため、ユーザの利便性を更に向上することができるて好ましい。
【００４５】
また、上記実施形態では、表示登録バンクでは表示画面の表示パターンごとに表示登録番号を付して管理しているが、例えば複数の表示パターンをグループ化してグループごとに管理しても良く、この場合には運転表示画面や特殊表示画面をグループ化して管理、登録することができるため、ユーザの利便性を更に向上することができて好適である。
更に、このような表示画面のグループ化を可能とすれば、表示画面の初期状態や基本状態となるグループを予め設定登録しておくことにより、運転表示画面や特殊表示画面をジェネライズして初期化することもできるため、これにより、ユーザの利便性をより一層向上することも可能である。
【図面の簡単な説明】
【００４６】
【図１】本発明の一実施形態に係る温度調節計の概略構成を示す図である。
【図２】図１の表示器の前面パネルの構成例を示す図である。
【図３】図１の表示画面切換部にて制御される表示画面の変更形態例を示す図である。
【図４】図１の表示設定部の制御下において表示登録バンクにて表示画面の表示パターンを設定登録するための表示登録手順を示すフローチャートである。
【図５】図１の表示設定部の制御下において運転表示設定バンクにて運転表示画面の表示項目を設定するための運転表示設定手順を示すフローチャートである。
【図６】図１の表示設定部の制御下において特殊表示設定バンクにて特殊表示画面の表示項目を設定するための特殊表示設定手順を示すフローチャートである。
【符号の説明】
【００４７】
４  異常検出手段
５  ラッチ手段
６  ラッチ解除手段（復帰指示手段）
８  表示設定部（表示設定手段）
９  表示画面切換部（表示画面切換手段）
１１  タイマ管理部（復帰指示手段）
２０  表示器
【図１】
0005042898.tif 000005
【図２】
0005042898.tif 000006
【図３】
0005042898.tif 000007
【図４】
0005042898.tif 000008
【図５】
0005042898.tif 000009
【図６】
0005042898.tif 000010